(57)【要約】【課題】  本考案は誤挿入検知機能を備え、且つ、機構が簡単で、製造が容易で、寿命が長いモジュールコネクタを提供する。【解決手段】  本考案のモジュールコネクタは絶縁本体と複数の導電端子及び誤挿入検知部材を備え、前記絶縁本体に相手コネクタを受け入れる受け入れスペースを有していて、前記導電端子は相手コネクタと電気に接続するために前記受け入れスペースに突き入れられていて、前記誤挿入検知部材は金属主体部と絶縁接触部を含み、前記金属主体部に水平の弾性アームが設けられ、前記絶縁接触部が該弾性アームの自由末端に設けられ、且つ、前記絶縁接触部に前端に設けられた斜面と該斜面の内側に位置した阻止面とを有している。前記装置によって、前記誤挿入検知部材の曲がり防止の強度が高められるとともに、モジュールコネクタの寿命が延伸される。【選択図】  図２
0003102593.tif 000002
【実用新案登録請求の範囲】
【請求項１】
相手コネクタを受け入れる受け入れスペースを有した絶縁本体と、
相手コネクタと電気に接続するために前記受け入れスペースに突き入れられた複数の導電端子と、
金属主体部と絶縁接触部とを含み、前記金属主体部に水平の弾性アームが設けられ、前記絶縁接触部は前記弾性アームの自由末端に設けられ、且つ、前記絶縁接触部に前端に設けられた斜面と該斜面の内側に位置した阻止面とを有するような誤挿入検知部材と、
を備えることを特徴とするモジュールコネクタ。
【請求項２】
前記絶縁本体に頂壁が設けられ、且つ、該頂壁に前記誤挿入検知部材の絶縁接触部及び弾性アームを受け入れる係合溝が設けられ、前記弾性アームに該係合溝と係合可能に結合した複数の短小突起部が設けられていることを特徴とする請求項１に記載のモジュールコネクタ。
【請求項３】
前記係合溝の前端に前記絶縁本体の受け入れスペースとお互いに通じ合った開口が設けられ、前記絶縁接触部が該開口から前記絶縁本体の受け入れスペースの上方に突き込んでいることを特徴とする請求項１に記載のモジュールコネクタ。
【請求項４】
前記絶縁本体に後壁が設けられ、前記金属主体部に前記弾性アームの後端に位置し、且つ、前記絶縁本体の後壁と触れた垂直部が設けられていることを特徴とする請求項１あるいは請求項３に記載のモジュールコネクタ。
【請求項５】
前記絶縁本体の頂壁に前記垂直部の上縁と触れた複数の凸端が設けられていることを特徴とする請求項４に記載のモジュールコネクタ。
【請求項６】
該モジュールコネクタはまた挿入モジュールを備え、前記導電端子が該挿入モジュールに設けられ、該挿入モジュールはベース部を有し、該ベース部に突出アームが設けられ、該突出アームの前表面が前記垂直部に触れていることを特徴とする請求項５に記載のモジュールコネクタ。
【請求項７】
前記絶縁本体の側壁に前記突出アームとお互いに係合した複数の係合アームが設けられ、該係合アーム及び前記突出アームにもお互いに係合した係合部が設けられていることを特徴とする請求項６に記載のモジュールコネクタ。
【請求項８】
該モジュールコネクタはまた前記絶縁本体及び誤挿入検知部材の周囲を覆ったケーシング体を備え、該ケーシング体に外囲装置と係合させて固持できる突出部が設けられていることを特徴とする請求項７に記載のモジュールコネクタ。
【考案の詳細な説明】
【技術分野】
【０００１】
本考案はモジュールコネクタに関し、特に、通信回路網などの設備に使われるモジュールコネクタに関するものである。
【背景技術】
【０００２】
従来のモジュールコネクタ（Ｍｏｄｕｌａｒ  Ｊａｃｋ）が通信回路網などの設備に広く使われている。電話に使われているＲＪ１１コネクタは通信回路網などの設備に使われているＲＪ４５コネクタと構成で類似しているので、使用者がいつもＲＪ１１コネクタをＲＪ４５コネクタに間違って挿し込むことによって、ＲＪ４５コネクタのコンタクトに回復できない変形が発生し、且つ、失効になった。このようなことを防止するために誤挿入検知部材を採用する必要がある。
【０００３】
本考案と相関する従来技術は特許文献１を参照すれば、誤挿入検知部材を有したモジュールコネクタ（ＲＪ４５）であって、絶縁本体と、該絶縁本体に設けられている複数の導電端子と、誤挿入検知部材と、を備える。該誤挿入検知部材は前記絶縁本体と一体に成型され、対称的に設けられる両部分を含み、それぞれ前記絶縁本体の両内側に位置し、両部分のいずれにも一体に設けられた斜面と阻止板とを含み、該阻止板が前記斜面の内側に位置している。ＲＪ１１コネクタを挿し込む時、サイズがＲＪ４５コネクタよりも小さいために前記阻止板に阻止されるので、モジュールにさらに挿し続けることができない。ＲＪ４５コネクタを挿し込む時、サイズが割に大きいために前縁が前記斜面と触れることができ、続けて挿す時、前記斜面に沿って滑って、下に向けて前記斜面を押圧し、且つ、前記斜面の自由端を下に向けて移動させ、従って、前記阻止板をＲＪ４５コネクタの挿し込む経路から隔離し、且つ、順調に挿し込ませる。しかし、前記モジュールコネクタの誤挿入検知部材と前記絶縁本体とはプラスチック材料で一体に成型し、前記絶縁本体の製造作業が複雑になって、且つ、製造コストが高くなった。また、前記誤挿入検知部材はプラスチック材料の変形の能力が悪いので、繰り返して使われた後、材料が失効して、そこで、誤挿入検知の効能が無くなった。
【０００４】
本考案と相関するもう一つの従来技術は特許文献２を参照すれば、誤挿入検知部材を有したモジュールコネクタ（ＲＪ４５）であって、絶縁本体と、該絶縁本体に設けられている複数の導電端子と、誤挿入検知部材と、を備える。該誤挿入検知部材に自由端及び固定端を有し、該自由端に隣接して設けられた阻止面及び斜面を含み、且つ、該阻止面が該斜面の内側に設けられている。ＲＪ１１コネクタを挿し込む時、サイズが小さいために前記斜面に触れられないので、前記阻止面に阻止され、モジュールにさらに挿し続けることができない。ＲＪ４５コネクタを挿し込む時、サイズが割に大きいために前縁が前記斜面と触れることができ、続けて挿す時、前記斜面に沿って滑って、下に向けて前記斜面を押圧し、且つ、前記斜面の自由端を下に向けて移動させ、従って、前記阻止板をＲＪ４５コネクタの挿し込む路径から隔離し、且つ、順調に挿し込ませる。しかし、前記モジュールコネクタの誤挿入検知部材は一体に設けられるので、構成が複雑で、製造の簡単化に不利である。
【特許文献１】米国特許第６１８６８３５号明細書
【特許文献２】米国特許第６２９６５２８Ｂ１号明細書
【考案の開示】
【考案が解決しようとする課題】
【０００５】
本考案は誤挿入検知機能を備え、且つ、機構が簡単で、製造が容易で、寿命が長いモジュールコネクタを提供することを目的とする。
【課題を解決するための手段】
【０００６】
前記目的を達成するために本考案のモジュールコネクタは絶縁本体と複数の導電端子と誤挿入検知部材とを備え、前記絶縁本体は相手コネクタを受け入れる受け入れスペースを有し、前記導電端子は相手コネクタと電気的に接続するために前記受け入れスペースに突き入れられ、前記誤挿入検知部材は金属主体部と絶縁接触部とを含み、前記金属主体部には水平の弾性アームが設けられ、前記絶縁接触部が該弾性アームの自由末端に設けられ、且つ、前記絶縁接触部は前端に設けられた斜面と該斜面の内側に位置した阻止面とを有している。
【考案の効果】
【０００７】
従来の技術と比較して、本考案は以下の効果を有する。前記誤挿入検知部材は金属主体部及び絶縁本体部を有するので、曲がり防止の強度が高められ、コネクタの寿命が延伸されるとともに該誤挿入検知部材の機構が簡単になるために製造しやすい。
【考案を実施するための最良の形態】
【０００８】
図１〜図３に示すように、本考案のモジュールコネクタ５は、絶縁本体１と複数の誤挿入検知部材２と挿入モジュール３とケーシング体４とを備え、前記誤挿入検知部材２と挿入モジュール３の前端の一部とはそれぞれ前記絶縁本体１の後方から挿され、且つ、前記絶縁本体１の内部に受け入れられ、前記ケーシング４は前記絶縁本体１及び挿入モジュール３の周囲を覆っている。
【０００９】
前記絶縁本体１は両側壁１１と頂壁１２と後壁１３と底壁１４とこれら壁面から囲んで形成された受け入れスペース１０とを含む。前記両側壁１１は対称的に前記絶縁本体１の両側に設けられ、それぞれ複数の固持アーム１１１と該固持アーム１１１自由端に位置した第１係合１１１０とを有している。前記頂壁１２には側壁１１の両側の近くの箇所に前記誤挿入検知部材２を受け入れる一対の係合溝１２１が設けられ、該係合溝１２１の前端には前記受け入れスペース１０とお互いに通じ合った開口１２１０が設けられ、且つ、前記頂壁１２には後壁１３を超えて両凸端１２２が設けられ、考案を実施するための最良の形態の中で該凸端１２２は固持溝１２１の内側壁面（図示せず）から延伸して形成されている。前記後壁１３は前記絶縁本体１の中後端に設けられ、該後壁１３の底端の中央に位置し、且つ受け入れスペース１０とお互いに通じ合った複数のスロット１３０と、該後壁１３の底端の両側に位置し、且つ後に向けて突出して設けられた両阻止面１３１と、を含んでいる。前記底壁１４と両側壁１１と後壁１３とによって受け入れ溝１４０が囲んで形成され、前記受け入れ溝１４０は受け入れスペース１０とお互いに通じ合って、且つ挿入モジュール３の端子モジュール３２（後記を参照）を受け入れるために使われている。
【００１０】
前記誤挿入検知部材２はほぼ「Ｌ」形の構成にされ、金属主体部２１と該金属主体部２１の前端に位置した絶縁接触部２２とを含んでいる。前記金属主体部２１に垂直部２１１と、それぞれ該垂直部２１１の両側から前方に向けて水平に曲がって延伸された両弾性アーム２１２とを含み、該両弾性アーム２１２の両側にも複数の短小突起部２１２０が設けられている。前記絶縁接触部２２が前記両弾性アーム２１２の自由末端に設けられ、それぞれ、絶縁接触部２２の頂端に位置した斜面２２２と、該斜面２２２の内側に位置し、且つ垂直に設置された阻止面２２１と、を含んでいる。前記金属主体部２１の垂直部２１１は一体式の構造とすることも両端式の構造とすることもでき、本考案の実施形態の中では、一体式の構造である。前記絶縁接触部２２は前記金属主体部２１の弾性アーム２１２と一体に成型する方式を採用することもそれぞれ製造した後、前記弾性アーム２１２に取り付けられる方式を採用することもでき、本考案の実施形態の中で前記絶縁接触部２２はそれぞれ製造する方式である。
【００１１】
前記挿入モジュール３はベース部３１と、該ベース部３１の前方に位置し、且つ該ベース部３１に設けられた端子モジュール３２と、を含んでいる。前記ベース部３１は前端（図示せず）及び後端（図示せず）を有し、該前端には前端面３１０及び端子モジュール３２と電気的に接続されたリレー端子３３が設けられ、後端には主回路基盤（図示せず）と接続された接続端子３４が設けられ、該リレー端子３３と接続端子３４との間は複数の電子素子（磁気特性を持ったコイル）によって電気的に接続され、前記前端面３１０の両側には両突出アーム３５が対称的に延伸して設けられ、該突出アーム３５はまた前表面３５１と前記突出アームの前端に位置した第２係合３５２とを含んでいる。前記端子モジュール３２は前記ベース部３１と接続された子回路基盤３２１と、該子回路基盤３２１と電気的に接続された複数の導電端子３２２と、を含み、該導電端子３２２には接触部３２２０が設けられている。
【００１２】
前記ケーシング４の両側には外部のコネクタなどとお互いに係合して固持される突出部４１が設けられている。
【００１３】
図１〜図４に示すように取り付ける時、まず、前記誤挿入検知部材２を前記絶縁本体１の係合溝１２１から前記絶縁本体１の内部に挿入し、前記誤挿入検知部材２の弾性アーム２１２の短小突起部２１２０を前記係合溝１２１とお互いに係合させ、前記誤挿入検知部材２の絶縁接触部２２を前記係合溝１２１の開口１２１０に伸びさせ、且つ、前記絶縁本体１の受け入れスペース１０の上方から露出させ、また、前記誤挿入検知部材２の金属主体部２１の垂直部２１１が前記絶縁本体１の後壁１３に押さえられ、且つ、該垂直部２１１の上縁が前記絶縁本体１の上壁１２の凸端１２２に押さえられるようにする。その後、前記挿入モジュール３の端子モジュールが前記絶縁本体１の底壁１４の上方に位置した受け入れ溝１４０に受け入れられ、前記端子モジュール３２の導電端子３２２の接触部３２２０が前記絶縁本体１の後壁１３の複数のスロット１３０に受け入れられ、前記挿入モジュール３が突出アーム３５の第２係合３５２によって前記絶縁本体１の側壁１１の係合アーム１１１に位置した第１係合１１１０とお互いに係合され、こうして、絶縁本体１に固持されるとともに前記突出アーム３５の前表面３５１が前記誤挿入検知部材２の垂直部２１に押さえられる。最後に、前記ケーシング４は後から前に向けて前記絶縁本体１及び挿入モジュール３の周囲に装着される。
【００１４】
使われる時、まず、本考案のモジュールコネクタ５を対応する主回路基盤（図示せず）に装着する。図１に示すように相手コネクタ（図示せず）を本考案のモジュールコネクタ５に装着する時、該相手コネクタの接続部が本考案の絶縁本体１の受け入れスペースに受け入れられ、前記接続部が前記誤挿入検知部材２の絶縁接触部２２の斜面２２２と触れ、且つ、該斜面２２２を押圧し、前記絶縁接触部２２の阻止面２２１が前記斜面２２２と同時に上方に向けて伸び、且つ、相手コネクタの挿す経路から退かれ、こうして、該相手コネクタが前記受け入れスペースに全部受け入れられる。しかし、該相手コネクタが本考案のモジュールコネクタ５から退く時、前記誤挿入検知部材２の斜面２２２の圧力が取り消されるので、前記該誤挿入検知部材２はもとの位置に回復する。
【００１５】
しかし、非相手コネクタ（ＲＪ−１１型コネクタを参照）が本考案のモジュールと接続される時、該非相手コネクタの接続部が前記受け入れスペースに伸びて、幅が不足で、前記誤挿入検知部材２の斜面と当接することができなく、続いて挿す時、非相手コネクタの接続部が前記誤挿入検知部材２の阻止面２２１と当接する。しかし、該阻止面２２１が非相手コネクタの接続部に押され、移動できないので、該非相手コネクタの伸びこむことが阻止され、こうして、良好な誤挿入検知の機能が得られる。本考案のモジュールコネクタ５の前記誤挿入検知部材２は金属主体部２１と絶縁接触部２２とを有し、該誤挿入検知部材２の主体部２１は金属で構成されるので、曲がりを防止する強度が高められ、使う寿命が長くなる。同時に、該金属主体部２１と前記絶縁接触部とをそれぞれ製造でき、その後、一体に取り付けることができ、前記誤挿入検知部材２は構造が簡単で、製造し易く、取り付けも便利である。もちろん、金属主体部２１に前記絶縁接触部２２を成型で押出することもでき、該製造過程も割に簡単である。
【００１６】
総じて、本考案の多数の特徴及び長所など、その構造及び機能が共に前述の記載により掲げられている。また前記の説明は、本考案に基づきなしうる細部の修正或いは変更など、いずれも本考案の請求範囲に属するものとする。
【産業上の利用可能性】
【００１７】
本考案はモジュールコネクタに関し、特に、通信回路網などの設備に使われるモジュールコネクタに関するものである。
【図面の簡単な説明】
【００１８】
【図１】本考案のモジュールコネクタの組立図である。
【図２】本考案のモジュールコネクタの分解斜視図である。
【図３】本考案のモジュールコネクタのもう一つの分解斜視図である。
【図４】本考案のモジュールコネクタの一部組立図である。
【符号の説明】
【００１９】
１  コネクタ（絶縁本体）
２  間違い挿し防止部材（誤挿入検知部材）
３  挿しモジュール（挿入モジュール）
４  ケーシング体
５  モジュールコネクタ
１０  受け入れスペース
１１  側壁
１２  頂壁
１３  後壁
１４  底壁
２１  金属主体部
２２  絶縁接触部
３１  ベース部
３２  端子モジュール
３３  中継端子
３４  接続端子
３５  突出アーム
４１  突出部
１１１  係合アーム
１２１  係合溝（固持溝）
１２２  凸端
１３０  スロット
１３１  阻止面
１４０  受け入れ溝
２１１  垂直部
２１２  弾性アーム
２２１  阻止面
２２２  斜面
３１０  前端面
３２１  子回路基板
３２２  導電端子
３５１  前端面
１１１０  第１係合部
１２１０  開口
２１２０  短小突起部
３２２０  接触部
【図１】
0003102593.tif 000003
【図２】
0003102593.tif 000004
【図３】
0003102593.tif 000005
【図４】
0003102593.tif 000006